(57)【要約】      （修正有）【課題】ハードディスクの変換が容易となるＰＣＩハードディスク取換え装置を提供する。【解決手段】ハードディスク１をシャシーに組立て、シャシーに、少なくとも一つの拡張スロットと拡張スロットに対応する拡張ボード接続ポートが設置される。取換え装置は、フレーム３と結合構造４及びダンパー５が備えられ、フレームは、底座３１と結合板を有し、ハードディスク収納空間を定義し、結合構造は、ハードディスクをフレームのハードディスク収納空間３３に位置づけ、ダンパーが、フレームの結合板に結合され、互換性を有するシャシーの拡張スロット規格で、シャシーの拡張スロットに接続される。【選択図】図１
0003153490.tif 000002
【実用新案登録請求の範囲】
【請求項１】
ハードディスクをシャシーに組立て、上記シャシーに、少なくとも一つの拡張スロットと上記拡張スロットに対応する拡張ボード接続ポートが設置されるハードディスク快速取換え装置であって、
底座と結合板を有し、ハードディスク収納空間が定義するフレームと、
上記ハードディスクを上記フレームのハードディスク収納空間に位置付ける結合構造と、
上記フレームの結合板に結合され、上記シャシーの拡張スロットと互換性を有して、上記シャシーの拡張スロットに結合されるダンパーとが含有される、ことを特徴とするＰＣＩハードディスク取換え装置。
【請求項２】
上記フレームの底座に、ベース構造が形成され、上記ベース構造に、上記シャシーの拡張ボード接続ポートが設置されるための少なくとも一つのＬ形状ベース板があることを特徴とする請求項１に記載のＰＣＩハードディスク取換え装置。
【請求項３】
上記フレームに、更に、上記ハードディスク収納空間に対応する少なくとも一つの放熱穴領域が設置されることを特徴とする請求項１に記載のＰＣＩハードディスク取換え装置。
【請求項４】
上記ハードディスクが、ＩＤＥハードディスクやＳＡＴＡハードディスク或いはＳＡＳハードディスクの何れかの一つであるであることを特徴とする請求項１に記載のＰＣＩハードディスク取換え装置。
【請求項５】
上記拡張ボード接続ポートが、ＰＣＩ接続ポートやＰＣＩ−Ｅ接続ポート、ＰＣＩ−ＥＸ接続ポート、ＩＳＡ接続ポート或いはＥＩＳＡ接続ポートの何れかの一つであることを特徴とする請求項１に記載のＰＣＩハードディスク取換え装置。
【請求項６】
更に、上記ハードディスクが収納される枠体があり、また、上記枠体により、上記フレームのハードディスク収納空間に位置付けられることを特徴とする請求項１に記載のＰＣＩハードディスク取換え装置。
【請求項７】
上記枠体が、ハードディスク払い出し装置であることを特徴とする請求項６に記載のＰＣＩハードディスク取換え装置。
【請求項８】
上記ダンパーにおいて、上記フレームのハードディスク収納空間に対応する位置に、更に、払い出し口が形成されることを特徴とする請求項７に記載のＰＣＩハードディスク取換え装置。
【請求項９】
上記枠体に、
上記ダンパーの払い出し口に対応するように上記枠体に設置される引き戸と、
上記枠体の上記引き戸の何れかの一側に設置され、一端に、形成一枢着部が形成され、もう一端に、抵当部が形成される第一連動棒と、
上記引き戸の一側と上記第一連動棒の枢着部に枢着され、上記引き戸が開放された時、上記第一連動棒の抵当部で上記ハードディスクを排出する第二連動棒とが含有されることを特徴とする請求項８に記載のＰＣＩハードディスク取換え装置。
【考案の詳細な説明】
【技術分野】
【０００１】
本考案は、快速取換え装置に関し、特に、ＰＣＩハードディスク取換え装置に関する。
【背景技術】
【０００２】
一般のユーザーのコンピューティング装置は、ハードウェアに、多数のメーン‐ボードや光ディスクドライブ及び電源装置が実装されて、効率を向上することが必要しないが、ハードディスクの数が、コンピューティング装置が格納できるデータの多少に影響するため、各コンピュータ産業メイカーは、それぞれ、多数のハードディスクが実装できるコンピュータシャシーや、ハードディスクを組立てるコンピュータシャシーを改良している。ハードディスクの数が増加すると、主シャシー体内部の温度も高くなり、また、複数のハードディスクがハードディスク枠に組立てられると、ユーザーが、快速的にハードディスクを取換えることができなくなる。
【０００３】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００４】
本考案の主な目的は、シャシーの体積がおなじでも、コンピュータシャシーに収納されるハードディスクの数を増やすことができるＰＣＩハードディスク取換え装置を提供する。
【０００５】
本考案の他の目的は、ハードディスクをダンパーでシャシーの拡張スロットに結合でき、快速的に、ハードディスクを取換えるＰＣＩハードディスク取換え装置を提供する。
【課題を解決するための手段】
【０００６】
請求項１の考案は、ハードディスクをシャシーに組立て、上記シャシーに、少なくとも一つの拡張スロットと上記拡張スロットに対応する拡張ボード接続ポートが設置されるハードディスク快速取換え装置であって、底座と結合板を有し、ハードディスク収納空間が定義するフレームと、上記ハードディスクを上記フレームのハードディスク収納空間に位置付ける結合構造と、上記フレームの結合板に結合され、上記シャシーの拡張スロットと互換性を有して、上記シャシーの拡張スロットに結合されるダンパーと、が含有される、ことを特徴とするＰＣＩハードディスク取換え装置である。
【０００７】
請求項２の考案は、上記フレームの底座に、ベース構造が形成され、上記ベース構造に、上記シャシーの拡張ボード接続ポートが設置されるための少なくとも一つのＬ形状ベース板があることを特徴とする請求項１に記載のＰＣＩハードディスク取換え装置である。
【０００８】
請求項３の考案は、上記フレームに、更に、上記ハードディスク収納空間に対応する少なくとも一つの放熱穴領域が設置されることを特徴とする請求項１に記載のＰＣＩハードディスク取換え装置である。
【０００９】
請求項４の考案は、上記ハードディスクが、ＩＤＥハードディスクやＳＡＴＡハードディスク或いはＳＡＳハードディスクの何れかの一つであるであることを特徴とする請求項１に記載のＰＣＩハードディスク取換え装置。
【００１０】
請求項５の考案は、上記拡張ボード接続ポートが、ＰＣＩ接続ポートやＰＣＩ−Ｅ接続ポート、ＰＣＩ−ＥＸ接続ポート、ＩＳＡ接続ポート或いはＥＩＳＡ接続ポートの何れかの一つであることを特徴とする請求項１に記載のＰＣＩハードディスク取換え装置である。
【００１１】
請求項６の考案は、更に、上記ハードディスクが収納される枠体があり、また、上記枠体により、上記フレームのハードディスク収納空間に位置付けられることを特徴とする請求項１に記載のＰＣＩハードディスク取換え装置である。
【００１２】
請求項７の考案は、上記枠体が、ハードディスク払い出し装置であることを特徴とする請求項６に記載のＰＣＩハードディスク取換え装置である。
【００１３】
請求項８の考案は、上記ダンパーにおいて、上記フレームのハードディスク収納空間に対応する位置に、更に、払い出し口が形成されることを特徴とする請求項７に記載のＰＣＩハードディスク取換え装置である。
【００１４】
請求項９の考案は、上記枠体に、上記ダンパーの払い出し口に対応するように上記枠体に設置される引き戸と、上記枠体の上記引き戸の何れかの一側に設置され、一端に、形成一枢着部が形成され、もう一端に、抵当部が形成される第一連動棒と、上記引き戸の一側と上記第一連動棒の枢着部に枢着され、上記引き戸が開放された時、上記第一連動棒の抵当部で上記ハードディスクを排出する第二連動棒と、が含有されることを特徴とする請求項８に記載のＰＣＩハードディスク取換え装置である。
【００１５】
以下、図面を参照しながら、本考案の特徴や技術内容について、詳しく説明するが、それらの図面等は、参考や説明のためであり、本考案は、それによって制限されることが無い。
【図面の簡単な説明】
【００１６】
【図１】本考案の分解立体概念図
【図２】本考案の立体概念図
【図３】図２の３−３の断面概念図
【図４】本考案の枠体からハードディスクを払い出する時の立体作動概念図
【図５】本考案のシャシーに位置付けられた拡張スロットの立体概念図
【考案を実施するための最良の形態】
【００１７】
図１乃至図３を参照しながら、本考案に係るＰＣＩハードディスク取換え装置１００は、ハードディスク１をシャシー２に組立て、シャシー２に、少なくとも一つの拡張スロット２１と拡張スロット２１に対応する拡張ボード接続ポート２２が設置される（図５のように）。
【００１８】
ハードディスク快速取換え装置１００は、フレーム３と結合構造４及びダンパー５が備えられ、フレーム３は、底座３１と結合板３２（図２のように）を有し、ハードディスク収納空間３３を定義し、また、結合構造４は、ハードディスク１をフレーム３のハードディスク収納空間３３に位置付けるものである。本実施例において、結合構造４は、少なくとも一つの第一螺合構造４１と少なくとも一つの第二螺合構造４２からなり、第一螺合構造４１と第二螺合構造４２は、フレーム３の両側において、垂直的に伸びて形成され、ハードディスク１は、少なくとも一つのボルト４３で、第一螺合構造４１や第二螺合構造４２に螺合されて、フレーム３のハードディスク収納空間３３に位置付けられる。実用上、結合構造４の代わりに、例えば、シュー構造や係合構造等の、ハードディスク１をフレーム３のハードディスク収納空間３３に位置付けることができる構造を利用できる。
【００１９】
ダンパー５は、フレーム３の結合板３２に結合され、互換性のシャシー２の拡張スロット２１規格であり、シャシー２の拡張スロット２１に接続される。フレーム３のハードディスク収納空間３３に収納できるハードディスク１のタイプは、市販のＩＤＥハードディスクやＳＡＴＡハードディスク及びＳＡＳハードディスク等であるが、実用に応じて、他のタイプのハードディスク１を収納できる。上記のシャシー２は、市販のコンピュータシャシーやサーバーシャシー或いは他の特別の規格のシャシータイプが含まれる。より良い実施例において、フレーム３は、更に、ハードディスク収納空間３３に対応するように、少なくとも一つの放熱穴領域３４が設けられ、ハードディスク１が、ハードディスク収納空間３３に位置付けられる時、ハードディスク１による熱を放熱できる。
【００２０】
図２と図４を参照しながら、ハードディスク１は、枠体６により、フレーム３のハードディスク収納空間３３に位置付けられ、本実施例において、枠体６は、ハードディスク払い出し装置であり、ダンパー５は、更に、フレーム３のハードディスク収納空間３３に対応するように、払い出し口５１が形成され、ハードディスク１が、ダンパー５の払い出し口５１により枠体６から払い出される。
【００２１】
また、枠体６は、更に、引き戸６１と第一連動棒６２及び第二連動棒６３が含有される。引き戸６１が、枠体６に設置され、ダンパー５の払い出し口５１に対応し、第一連動棒６２が、引き戸６１の一側の枠体６に設置され、第一連動棒６２の一端に、枢着部６２１が形成され、もう一端に、抵当部６２２が形成され、第二連動棒６３が、引き戸６１の一側に枢着され、枢軸６４が、第一連動棒６２の枢着部６２１に枢着される。引き戸６１により、開放経路Ｒ１が開放された時、引き戸６１により、第二連動棒６３が連動されて連動経路Ｒ２を通して第一連動棒６２の枢着部６２１へ移動し、これにより、第一連動棒６２の抵当部６２２が、連動されて、排出経路Ｒ３を通してハードディスク１を排出する。
【００２２】
図５を参照しながら、ＰＣＩハードディスク取換え装置１００は、ダンパー５が、ボルト７によってシャシー２の拡張スロット２１の上縁に結合され、ハードディスク１が、シャシー２に組立てられる。上記のように、ユーザーが、シャシー２の内部に、ハードディスク１を増設でき、また、同時に、シャシー２において、快速的にハードディスク１を取換えることができる。
【００２３】
本実施例によれば、フレーム３の底座３１にベース構造３１１が形成され、ベース構造３１１は、少なくとも一つのＬ形状ベース板３１１ａがあり、ハードディスク１が、ハードディスク快速取換え装置１００によってシャシー２の拡張スロット２１に結合された時、ベース構造３１１のＬ形状ベース板３１１ａが、シャシー２の拡張ボード接続ポート２２に位置する。上記のような拡張ボード接続ポート２２は、一般のＰＣＩ接続ポートやＰＣＩ−Ｅ接続ポート、ＰＣＩ−ＥＸ接続ポート、ＩＳＡ接続ポート或いはＥＩＳＡ接続ポートの何れかの一つであってもよく、他の拡張ハードウェアの接続ポートスロットでもよい。
【００２４】
本考案に係る技術手段によれば、従来のコンピュータシャシーにハードディスクを増設することができ、コンピューティング装置に格納されるデータの量が向上され、同時に、従来のコンピュータシャシーの利用していない空間を利用し、効率が向上される。また、本考案によれば、ハードディスクが拡張スロットに位置付けられる方式により、コンピュータシャシー体積が増大せず、ハードディスクを増設できるため、ユーザーがコンピュータのデータ格納能力が向上され、また、この方式によれば、ユーザーが、簡単にハードディスクを取換えることができ、そのため、産業利用可能性が向上される。また、本考案が、ＩＤＥハードディスクやＳＡＴＡハードディスク、ＳＡＳハードディスク及び他のタイプのハードディスクに適用でき、また、本考案に係るダンパーが、拡張スロットに対応する拡張ボード接続ポートに結合されるため、一般のＰＣＩ接続ポートやＰＣＩ−Ｅ接続ポート、ＰＣＩ−ＥＸ接続ポート、ＩＳＡ接続ポート或いはＥＩＳＡ接続ポート等の規格に適用できる。
【００２５】
そのため、本考案は、より進歩的かつより実用的で、法に従って実用新案登録請求を出願する。
【００２６】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【符号の説明】
【００２７】
１        ハードディスク
１００    ハードディスク取換え装置
２        シャシー
２１      拡張スロット
２２      拡張ボード接続ポート
３        フレーム
３１      底座
３１１    ベース構造
３１１ａ  Ｌ形状ベース板
３２      結合板
３３      ハードディスク収納空間
３４      放熱穴領域
４        結合構造
４１      第一螺合構造
４２      第二螺合構造
４３      ボルト
５        ダンパー
５１      払い出し口
６        枠体
６１      引き戸
６２      第一連動棒
６２１    枢着部
６２２    抵当部
６３      第二連動棒
６４      枢軸
７        ボルト
Ｒ１      開放経路
Ｒ２      連動経路
Ｒ３      排出経路
【図１】
0003153490.tif 000003
【図２】
0003153490.tif 000004
【図３】
0003153490.tif 000005
【図４】
0003153490.tif 000006
【図５】
0003153490.tif 000007